(57)【要約】【課題】  近接して並設された複数のマイクロホンの指向軸の向きを簡易な構成で調整できるマイクロホン装置およびマイクロホンキャップを提供する。【解決手段】  第１マイクロホンと、前記第１マイクロホンに近接して並設される第２マイクロホンと、前記第１マイクロホンに形成された第１後部音響端子と、前記第２マイクロホンに形成された第２後部音響端子と、前記第１後部音響端子に対して移動自在に設けられる第１音響端子制御部材と、前記第２後部音響端子に対して移動自在に設けられる第２音響端子制御部材と、を備える。【選択図】図１
2015220565.tif 000002
【特許請求の範囲】
【請求項１】
第１マイクロホンと、
前記第１マイクロホンに近接して並設されている第２マイクロホンと、
前記第１マイクロホンに形成された第１後部音響端子と、
前記第２マイクロホンに形成された第２後部音響端子と、
前記第１後部音響端子に対して移動自在に設けられている第１音響端子制御部材と、
前記第２後部音響端子に対して移動自在に設けられている第２音響端子制御部材と、
を備えていることを特徴とするマイクロホン装置。
【請求項２】
前記第１後部音響端子は、前記第１マイクロホンの側面に設けられていて、前記第１音響端子制御部材は前記第１マイクロホンの側面に沿って移動可能で、前記第２後部音響端子は、前記第２マイクロホンの側面に設けられていて、前記第２音響端子制御部材は前記第２マイクロホンの側面に沿って移動可能である請求項１記載のマイクロホン装置。
【請求項３】
前記第１マイクロホンと、前記第２マイクロホンは、円筒形であって、
前記第１音響端子制御部材は前記第１マイクロホンの側面に沿って回転し、
前記第２音響端子制御部材は前記第２マイクロホンの側面に沿って回転する請求項２記載のマイクロホン装置。
【請求項４】
前記第１音響端子制御部材は、前記第１マイクロホンの指向軸を調整し、
前記第２音響端子制御部材は、前記第２マイクロホンの指向軸を調整し、
前記第１音響端子制御部材と前記第２音響端子制御部材は、前記第１マイクロホンおよび前記第２マイクロホンが相互に干渉を受けることによって生じる指向軸の傾きを平行に調整する請求項１乃至３のいずれかに記載のマイクロホン装置。
【請求項５】
前記第１マイクロホンおよび前記第２マイクロホンが相互に干渉を受けることによって生じる指向軸の傾きを平行になるように調整するとき、前記第１音響端子制御部材は、前記第１後部音響端子が形成されている面のうち前記第２後部音響端子に近接する面に対し反対側の面に対向して設けられ、前記第２音響端子制御部材は、前記第２後部音響端子が形成されている面のうち前記第１後部音響端子に近接する面に対し反対側の面に対向して設けられている請求項４記載のマイクロホン装置。
【請求項６】
前記第２マイクロホンは、前記第１マイクロホンのバックアップ用マイクロホンである請求項１乃至５のいずれかに記載のマイクロホン装置。
【請求項７】
前記第１音響端子制御部材は、前記第１マイクロホンの指向軸を調整し、
前記第２音響端子制御部材は、前記第２マイクロホンの指向軸を調整し、
前記第１音響端子制御部材と前記第２音響端子制御部材は、前記第１マイクロホンおよび前記第２マイクロホンの指向軸による交差角度を設定する請求項１乃至３のいずれかに記載のマイクロホン装置。
【請求項８】
前記第１マイクロホンおよび前記第２マイクロホンの指向軸による交差角度を設定するとき、前記第１音響端子制御部材と前記第２音響端子制御部材は、前記第１後部音響端子と前記第２後部音響端子との間に設けられている請求項７記載のマイクロホン装置。
【請求項９】
前記第１音響端子制御部材と前記第２音響端子制御部材を協働して移動させる移動部をさらに備える請求項１乃至８のいずれかに記載のマイクロホン装置。
【請求項１０】
前記移動部は、
第１ギアと、
第２ギアと、
を備え、
前記第１ギアと前記第２ギアが歯合することにより、前記第１音響端子制御部材と前記第２音響端子制御部材は協働して移動可能である請求項９記載のマイクロホン装置。
【請求項１１】
前記移動部は、前記第１音響端子制御部材と前記第２音響端子制御部材を線対称に移動させる請求項９又は１０記載のマイクロホン装置。
【請求項１２】
前記第１マイクロホンと前記第２マイクロホンを覆うカバーをさらに備える請求項１乃至１１のいずれかに記載のマイクロホン装置。
【請求項１３】
第１後部音響端子を備える第１マイクロホンと、前記第１マイクロホンに近接して並設されていて第２後部音響端子を備える第２マイクロホンと、を有するマイクロホン装置に取付可能なマイクロホンキャップであって、
前記マイクロホンキャップは、
第１音響端子制御部材と、
第２音響端子制御部材と、
を備え、
前記第１音響端子制御部材は、前記第１後部音響端子に対して移動自在に設けられ、
前記第２音響端子制御部材は、前記第２後部音響端子に対して移動自在に設けられる、
ことを特徴とするマイクロホンキャップ。
【発明の詳細な説明】
【技術分野】
【０００１】
本発明は、マイクロホン装置およびマイクロホンキャップに関するものである。
【背景技術】
【０００２】
スピーチなどで使用されるマイクロホンとして、バックアップ用として２個以上の単一指向性マイクロホンを有するダブルマイクロホン（もしくは、「ツインマイクロホン」ともいう。）が知られている。
【０００３】
図９は、従来のダブルマイクロホンを示す側面図である。ダブルマイクロホン２０１は、第１マイクロホン２１１、第２マイクロホン２１２および支持部２０３を備える。第１マイクロホン２１１および第２マイクロホン２１２は、単一指向性マイクロホンである。
【０００４】
第１マイクロホン２１１は、円筒状のマイクロホンである。第１マイクロホン２１１は、第１前部音響端子２２１および第１後部音響端子２３１を備える。第１前部音響端子２２１は、第１マイクロホン２１１の上側底面に設けられている。また、第１後部音響端子２３１は、第１マイクロホン２１１の側面の周方向に複数設けられている。
【０００５】
また、第２マイクロホン２１２も、円筒状のマイクロホンである。第２マイクロホン２１２は、第２前部音響端子２２２および第２後部音響端子２３２を備える。第２前部音響端子２２２は、第２マイクロホン２１２の上側底面に設けられている。また、第２後部音響端子２３２は、第２マイクロホン２１２の側面の周方向に複数設けられている。
【０００６】
第１マイクロホン２１１および第２マイクロホン２１２は、近接して並設されている。なお、図９においては、第１マイクロホン２１１は、第２マイクロホン２１２の左側に設置されている。また、第１マイクロホン２１１および第２マイクロホン２１２は、支持部２０３に固定されている。
【０００７】
ここで、図１０に示す従来のダブルマイクロホン２０１における指向特性について説明する。
【０００８】
図１０（ａ−１）は、第１マイクロホン２１１のみが話者１００に対向して配置されている様子を示す。また、第１マイクロホン２１１の概略正面図は図１０（ａ−２）のようになる。このとき、図１０（ａ−３）に示すように、第１マイクロホン２１１の指向軸は、話者１００の正面に向いている。
【０００９】
図１０（ｂ−１）は、第１マイクロホン２１１および第２マイクロホン２１２が話者１００の正面に近接して並設されている様子を示す。このとき、第１マイクロホン２１１および第２マイクロホン２１２は、図１０（ａ−１）と同じ向きで設置されている。また、第１マイクロホン２１１の概略正面図は図１０（ｂ−２）のようになる。
【００１０】
図１０（ｂ−３）に示すように、第１マイクロホン２１１および第２マイクロホン２１２は、互いに干渉して、それぞれの指向軸の向きに影響する。
【００１１】
すなわち、第１マイクロホン２１１は、図１０（ｂ−３）において右側に第２マイクロホン２１２が近接しているため、右側の空気が振動しにくくなる。そのため、第１マイクロホン２１１の指向軸は、話者１００の正面よりも左側に傾く。
【００１２】
また、第２マイクロホン２１２は、図１０（ｂ−３）において左側に第１マイクロホン２１１が近接しているため、左側の空気が振動しにくくなる。そのため、第２マイクロホン２１１の指向軸は、話者１００の正面よりも右側に傾く。つまり、ダブルマイクロホン２０１の指向軸は、ダブルマイクロホン２０１の正面よりもやや外側に向く。
【００１３】
したがって、近接して並設された複数のマイクロホンを有するマイクロホン装置において、マイクロホン装置の正面にいる話者１００の声を収音するためには、複数のマイクロホンの指向軸を互いに平行になるように調整する必要がある。
【００１４】
ここで、複数のマイクロホンが互いに干渉しないために、複数のマイクロホンの距離を十分に離すことも考えられる。しかし、複数のマイクロホンを１つのマイクロホンであるかのように見せるマイクロホン装置の筐体デザインを実現するためには、最小限のスペースの中に複数のマイクロホンを収容する必要がある。
【００１５】
また、マイクロホンの指向軸の向きを調整する際、マイクロホンの内部構造に直接触れる構成は、マイクロホンの故障の原因となる。さらに、マイクロホンの指向軸の向きを調整する際に工具が必要な構成は、調整が煩雑になってしまう。
【００１６】
そこで、近接して並設された複数のマイクロホンを有するマイクロホン装置において、複数のマイクロホンの指向軸の傾きを簡易な構成で互いに平行になるように調整できるマイクロホン装置が必要とされている。
【００１７】
これまでにも、例えば、左右のマイクロホンの収音軸が交差する角度を調整するステレオ収録用マイクロホンユニットが開示されている（例えば、特許文献１参照）。
【００１８】
また、第１および第２指向性マイクロホンそれぞれが指向する方向を第１〜第３方向パターンのいずれかに切り換えるダイヤルを有する録音装置が開示されている（例えば、特許文献２参照）。
【００１９】
さらに、特許文献３には、複数のマイクロホンで音声を収音するとともに、複数種類の音声信号処理設定でマイクロホンからの音声信号に音声信号処理を施す収音装置が開示されている。
【００２０】
しかしながら、特許文献１、２および３には、並設された複数の指向性マイクロホンを有するマイクロホン装置について、複数のマイクロホンが相互に干渉することによって生じる指向軸の傾きを調整する構成については開示されていなかった。
【００２１】
また、特許文献４には、２個のマイクロホンカプセルがそれぞれ長方形振動膜を有しているダブルカプセルマイクロホンが開示されている。
【００２２】
しかしながら、特許文献４のダブルカプセルマイクロホンは、２個のマイクロホンカプセルが無指向性マイクロホンであることが前提となっている。すなわち、複数の単一指向性マイクロホンの指向軸の傾きを調整する本願発明の目的とは、発明の目的が異なる。
【先行技術文献】
【特許文献】
【００２３】
【特許文献１】特開２０１０−２１６６７号公報
【特許文献２】特開２０１２−５８７０４号公報
【特許文献３】特開２００７−２１４９１３号公報
【特許文献４】特開２００２−７８０６２号公報
【発明の概要】
【発明が解決しようとする課題】
【００２４】
本発明は、近接して並設された複数のマイクロホンの指向軸の向きを簡易な構成で調整できるマイクロホン装置およびマイクロホンキャップを提供することを目的とする。
【課題を解決するための手段】
【００２５】
本発明にかかるマイクロホン装置は、第１マイクロホンと、第１マイクロホンに近接して並設されている第２マイクロホンと、第１マイクロホンに形成された第１後部音響端子と、第２マイクロホンに形成された第２後部音響端子と、第１後部音響端子に対して移動自在に設けられている第１音響端子制御部材と、第２後部音響端子に対して移動自在に設けられている第２音響端子制御部材と、を備えることを特徴とする。
【００２６】
また、本発明にかかるマイクロホンキャップは、第１後部音響端子を備える第１マイクロホンと、第１マイクロホンに近接して並設されていて第２後部音響端子を備える第２マイクロホンと、を有するマイクロホン装置に取付可能なマイクロホンキャップであって、マイクロホンキャップは、第１音響端子制御部材と、第２音響端子制御部材と、を備え、第１音響端子制御部材は、第１後部音響端子に対して移動自在に設けられ、第２後部音響端子制御部材は、第２後部音響端子に対して移動自在に設けられている、ことを特徴とする。
【発明の効果】
【００２７】
本発明によれば、近接して並設された複数のマイクロホンの指向軸の向きを簡易な構成で調整できる。
【図面の簡単な説明】
【００２８】
【図１】本発明にかかるマイクロホン装置の実施の形態を示す斜視図である。
【図２】上記マイクロホン装置がカバーを被った状態を示す側面図である。
【図３】本発明にかかるマイクロホンキャップの実施の形態を示す斜視図である。
【図４】上記マイクロホン装置の第１音響端子制御部材および第２音響端子制御部材の状態を示す正面図である。
【図５】上記マイクロホン装置の第１音響端子制御部材および第２音響端子制御部材の別の状態を示す正面図である。
【図６】上記マイクロホン装置の指向特性を示す表である。
【図７】本発明にかかるマイクロホン装置の別の実施の形態を示す、（ａ）は側面図、（ｂ）は正面図である。
【図８】本発明にかかるマイクロホン装置のさらに別の実施の形態を示す正面図である。
【図９】従来のマイクロホン装置を示す側面図である。
【図１０】従来のマイクロホン装置の指向特性を示す表である。
【発明を実施するための形態】
【００２９】
以下、本発明にかかるマイクロホン装置およびマイクロホンキャップの実施の形態について、図面を参照しながら説明する。
【００３０】
●マイクロホン装置（１）●
まず、本発明にかかるマイクロホン装置の実施の形態について説明する。
【００３１】
図１に示すように、マイクロホン装置１は、第１マイクロホン１１、第２マイクロホン１２、支持部３および支持台４を備える。
【００３２】
第１マイクロホン１１および第２マイクロホン１２は、単一指向性マイクロホンである。
【００３３】
なお、第１マイクロホン１１および第２マイクロホン１２は、コンデンサマイクロホンや、ダイナミックマイクロホンなど、いずれの種類のマイクロホンであってもよい。
【００３４】
第１マイクロホン１１および第２マイクロホン１２は、近接して並設されている。なお、図１においては、第１マイクロホン１１は、第２マイクロホン１２の左側に設置されている。また、第１マイクロホン１１および第２マイクロホン１２は、支持部３から立ち上がった姿勢で支持部３に固定されている。
【００３５】
支持部３は、第１マイクロホン１１および第２マイクロホン１２を支持台に固定する部材である。支持部３は、机上などに設置される支持台４に連結されている。支持部３は、支持台４との間に関節を有していてもよい。支持部３が関節を有することにより、第１マイクロホン１１および第２マイクロホン１２の支持台４に対する位置を移動することができる。
【００３６】
図２に示すように、マイクロホン装置１は、第１マイクロホン１１および第２マイクロホン１２を覆うカバー５０を備えていてもよい。カバー５０により、近接した複数のマイクロホンを１つのマイクロホンのように見せることができる。
【００３７】
●第１マイクロホン１１の構成
【００３８】
図１に示すように、第１マイクロホン１１は、第１前部音響端子２１、第１後部音響端子３１、第１マイクロホンキャップ４１および第１音響端子制御部材５１を備える。第１マイクロホン１１は、支持部３に固定されている。
【００３９】
第１マイクロホン１１は、円筒状のマイクロホンである。第１マイクロホン１１は、第１前部音響端子２１および第１後部音響端子３１を備える。第１前部音響端子２１は、第１マイクロホン１１の上側底面に設けられている。また、第１後部音響端子３１は、第１マイクロホン１１の側面に設けられている。第１後部音響端子３１は、第１マイクロホン１１の側面においての周方向に複数設けられた孔を含む。
【００４０】
第１マイクロホンキャップ４１は、第１後部音響端子３１を覆うように第１マイクロホン１１に取付可能な中空の円筒形のキャップである。第１マイクロホンキャップ４１は、第１後部音響端子３１に対して移動自在に設けられている。具体的には、第１マイクロホンキャップ４１は、第１マイクロホン１１の側面に沿って周方向に回転可能である。
【００４１】
図３に示すように、第１マイクロホンキャップ４１の上下の底面にはそれぞれ開口４１１および開口４１２が設けられている。また、第１マイクロホンキャップ４１の側面には、上下のリング状の部品を支持する複数の柱が設けられている。複数の柱の間には、複数の開口４１３が生じている。
【００４２】
第１マイクロホンキャップ４１の下側底面の開口４１１は、第１マイクロホン１１を挿入可能な開口である。第１マイクロホンキャップ４１の上側底面の開口４１２は、第１前部音響端子２１と連通している。第１マイクロホンキャップ４１の側面の開口４１３は、第１後部音響端子３１と連通している。
【００４３】
第１マイクロホンキャップ４１は、側面の一部に第１音響端子制御部材５１を備えている。第１音響端子制御部材５１は、第１マイクロホンキャップ４１の側面の約半分を覆うように設けられている。第１音響端子制御部材５１は、第１マイクロホンキャップ４１とともに第１マイクロホン１１の側面に沿って回転可能である。
【００４４】
第１音響端子制御部材５１は、例えば樹脂やウレタン材などで形成されている。また、第１音響端子制御部材５１は、第１マイクロホン１１の指向軸の向きに対して第２マイクロホン１２が干渉するのと同程度に第１マイクロホン１１の指向軸の向きと干渉するように設けられている。
【００４５】
第１音響端子制御部材５１の干渉度合いと第２マイクロホン１２の干渉度合いとを同程度となるように第１音響端子制御部材５１を形成することで、第１マイクロホン１１の指向軸の向きを第１マイクロホン１１の正面に調整することができる。
【００４６】
●第２マイクロホン１２の構成
第２マイクロホン１２は、第１マイクロホン１１のバックアップ用マイクロホンとして用いられる。すなわち、通常は第１マイクロホン１１のみで使用しており、この第１マイクロホン１１が故障などして機能しなくなったときに、第２マイクロホン１２に切り替えて収音を継続する
【００４７】
図１に示すように、第２マイクロホン１２の構成は、第１マイクロホン１１と対応している。
【００４８】
すなわち、第２マイクロホン１２は、第２前部音響端子２２、第２後部音響端子３２、第２マイクロホンキャップ４２および第２音響端子制御部材５２を備える。第２音響端子制御部材５２は、第２マイクロホンキャップ４２とともに第２マイクロホン１２の側面に沿って回転可能である。第２マイクロホンキャップ４２の構造は、第１マイクロホンキャップ４１と同一である。
【００４９】
●第１音響端子制御部材５１および第２音響端子制御部材５２とマイクロホン装置１の指向軸との関係
まず、第１音響端子制御部材５１および第２音響端子制御部材５２が、第１マイクロホン１１および第２マイクロホン１２が相互に干渉を受けることによって生じるマイクロホン装置１の指向軸の傾きを平行に調整する態様について説明する。
【００５０】
図４は、第１音響端子制御部材５１および第２音響端子制御部材５２がマイクロホン装置１の外側に設けられている様子を示す。
【００５１】
すなわち、第１音響端子制御部材５１は、第１マイクロホン１１の側面のうち第２マイクロホン１２に近接する面とは反対側の面に対向して設けられている。また、第２音響端子制御部材５２は、第２マイクロホン１２の側面のうち第１マイクロホン１１に近接する面とは反対側の面に対向して設けられている。
【００５２】
図６（ａ−１）に示すように、話者１００は、図４の状態のマイクロホン装置１の正面に位置している。図６（ａ−２）は、図４の状態におけるマイクロホン装置１の正面図を示す。同図に示すように、第１音響端子制御部材５１および第２音響端子制御部材５２は、マイクロホン装置１の互いに外側に設けられている。
【００５３】
このとき、第１音響端子制御部材５１は、第２マイクロホン１２が第１マイクロホン１１の指向特性に干渉するのと同様に第１マイクロホン１１の指向特性に干渉する。すなわち、第１音響端子制御部材５１に覆われた部分の第１マイクロホン１１の側面に形成されている第１後部音響端子３１の近傍の空気の振動は、第１音響端子制御部材５１により抑制される。
【００５４】
したがって、第１マイクロホン１１の指向軸の向きは、第１音響端子制御部材５１が設けられている面と反対側、すなわち第２マイクロホン１２側に傾く。
【００５５】
一方、第２音響端子制御部材５２は、第２マイクロホン１２の指向特性に干渉する。第２音響端子制御部材５２に覆われた部分の第２マイクロホン１２の側面に形成されている第２後部音響端子３２の近傍の空気の振動は、第２音響端子制御部材５２により抑制される。
【００５６】
したがって、第２マイクロホン１２の指向軸の向きは、第２音響端子制御部材５２が設けられている面と反対側、すなわち第１マイクロホン１１側に傾く。
【００５７】
図６（ａ−３）に示すように、第１音響端子制御部材５１および第２音響端子制御部材５２がマイクロホン装置１の外側に設けられているときの指向軸の向きは、共に平行である。すなわち、マイクロホン装置１の指向軸の向きは、マイクロホン装置１の正面に調整される。つまり、従来例について図１０（ｂ）で説明した２つのマイクロホンの指向軸の傾きが修正される。
【００５８】
このように、第１音響端子制御部材５１および第２音響端子制御部材５２は、第１マイクロホン１１および第２マイクロホン１２が相互に干渉を受けることによって生じるマイクロホン装置１の指向軸の傾きを平行に調整することができる。
【００５９】
かかる態様によれば、前述したように第２マイクロホン１２をバックアップ用マイクロホンとして使用するとき、現在機能している（収音している）第１マイクロホン１１が第２マイクロホン１２の影響を受けずに指向軸の向きを平行にすることができる。
【００６０】
また、第２マイクロホン１２に切り替わった場合も、第１マイクロホン１１の影響を受けずに第２マイクロホン１２の指向軸の向きを平行にすることができる。  
【００６１】
次に、第１音響端子制御部材５１および第２音響端子制御部材５２が第１マイクロホン１１および第２マイクロホン１２の指向軸の交差角度を設定する態様について説明する。
【００６２】
図５は、第１音響端子制御部材５１および第２音響端子制御部材５２がマイクロホン装置１の内側に配置されている様子を示す。すなわち、第１音響端子制御部材５１および第２音響端子制御部材５２は、ともに第１後部音響端子３１と第２後部音響端子３２との間に配置されている。
【００６３】
図６（ｂ−１）において左側（マイクロホン装置１の正面に向かって右側）の第１マイクロホン１１は、左側の話者１００からの音声を高いレベルで収音することができる。また、図６（ｂ−１）において右側（マイクロホン装置１の正面に向かって左側）の第２マイクロホン１２は、右側の話者１０１からの音声を高いレベルで収音することができる。
【００６４】
図６（ｂ−２）は、図５の状態におけるマイクロホン装置１の正面図を示す。同図に示すように、第１音響端子制御部材５１および第２音響端子制御部材５２は、マイクロホン装置１の内側に配置されている。すなわち、両音響端子制御部材５１、５２同士が直接対向して配置される。
【００６５】
このとき、第１音響端子制御部材５１に覆われた部分の第１マイクロホン１１の側面に形成されている第１後部音響端子３１の近傍の空気の振動は、第１音響端子制御部材５１により抑制される。
【００６６】
したがって、第１マイクロホン１１の指向軸の向きは、第１音響端子制御部材５１が設けられている面と反対側、すなわちマイクロホン装置１の外側に傾く。
【００６７】
一方、第２音響端子制御部材５２に覆われた部分の第２マイクロホン１２の側面に形成されている第２後部音響端子３２の近傍の空気の振動は、第２音響端子制御部材５２により抑制される。
【００６８】
したがって、第２マイクロホン１２の指向軸の向きは、第２音響端子制御部材５２が設けられている面と反対側、すなわちマイクロホン装置１の外側に傾く。
【００６９】
図６（ｂ−３）に示すように、第１音響端子制御部材５１および第２音響端子制御部材５２がマイクロホン装置１の内側に設けられているときの指向軸の向きは、マイクロホン装置１の外側を向く。したがって、この態様によれば、マイクロホン装置１は、話者１００および話者１０１の声を主に第１マイクロホン１１と第２マイクロホン１２によりそれぞれ収音することができる。
【００７０】
このように、第１音響端子制御部材５１および第２音響端子制御部材５２は、第１２マイクロホン１１および第２マイクロホン１２の指向軸の交差角度を調整することができる。
【００７１】
なお、マイクロホン装置１では第１マイクロホンキャップ４１は第１マイクロホン１１に対して同心円で回転する。しかし、マイクロホンキャップはマイクロホンに対して偏心していてもよい。音響端子制御部材が後部音響端子に対して偏心して回転することにより、マイクロホンを同心円での回転とは異なる指向特性に調整することができる。
【００７２】
以上説明した実施の形態によれば、第１音響端子制御部材５１および第２音響端子制御部材５２により、マイクロホン装置１の指向軸の向きを調整することができる。すなわち、近接して並設された複数のマイクロホンの指向特性を簡易な構成で調整できる。
【００７３】
●マイクロホン装置（２）●
次に、本発明にかかるマイクロホン装置の別の実施の形態について、先に説明した実施の形態と異なる部分を中心に説明する。本実施の形態は、マイクロホン装置が第１音響端子制御部材と第２音響端子制御部材とを協働して移動可能な移動部を備える点において、これまでに説明した実施の形態と異なる。
【００７４】
図７に示すように、移動部６０は、第１ギア６１および第２ギア６２を有してなる。第１ギア６１は、第１マイクロホンキャップ４１の側面に、第１マイクロホンキャップ４１と同心円上に結合されている。また、第２ギア６２は、第２マイクロホンキャップ４２の側面に、第２マイクロホンキャップ４２と同心円上に結合されている。
【００７５】
第１ギア６１および第２ギア６２は、歯合しており、第１マイクロホンキャップ４１と第２マイクロホンキャップ４２とを協働して移動させる。すなわち、第１ギア６１および第２ギア６２の回転により、第１音響端子制御部材５１および第２音響端子制御部材５２は協働して移動する。例えば、第１ギア６１を図中右回りに回転させると、第２ギア６２は図中左回りに回転する。
【００７６】
また、第１音響端子制御部材５１および第２音響端子制御部材５２は、第１マイクロホン１１と第２マイクロホン１２の中心を結ぶ線分の中点を通り、中心を結ぶ線に垂直な線に対して線対称に配置されている。さらに、第１ギア６１および第２ギア６２の歯数は、同一である。
【００７７】
このように配置することで、第１ギア６１又は第２ギア６２のうち一方のギアを回転させたとき、他方のギアは一方のギアと逆方向に同角度回転する。すなわち、移動部６０は、第１音響端子制御部材５１および第２音響端子制御部材５２を、常に線対称に移動させる。
【００７８】
第１音響端子制御部材５１および第２音響端子制御部材５２が線対称に移動することにより、第１マイクロホン１１および第２マイクロホン１２の指向軸の向きを容易に平行に調整することができる。
【００７９】
なお、移動部６０が有するギアの個数は、３個以上であってもよい。
【００８０】
図８に示すように、移動部６０は、第１ギア６１と第２ギア６２の間に、第３ギア６３および第４ギア６４を備えていてもよい。また、第１ギア６１のみと歯合する第５ギアを備えていてもよい。移動部６０が３個以上のギアを有することにより、移動部６０を操作する位置を任意の位置にすることができる。例えば、移動部６０の操作をカバー５０の外側から行うことが可能になる。
【００８１】
また、移動部６０は、第１マイクロホン１１および第２マイクロホン１２を、例えばガイド溝に係合させてマイクロホンの長軸方向に垂直の方向へ移動させるように構成してもよい。すなわち、第１マイクロホン１１および第２マイクロホン１２は近づく方向と遠ざかる方向とに移動可能な構成にしてもよい。
【００８２】
第１マイクロホン１１および第２マイクロホン１２がマイクロホンの長軸方向に対して垂直の方向へ移動することにより、マイクロホン装置１の正面から離れた場所にいる話者の声を収音することができる。
【００８３】
さらに、第１マイクロホン１１および第２マイクロホン１２が長軸方向に対して垂直の方向へ移動する構成において、第１マイクロホン１１および第２マイクロホン１２が十分近づいたときにはそれぞれが有するギアが歯合して協働して回転するようにしてもよい。
【００８４】
さらにまた、移動部６０は、第１マイクロホンキャップ４１および第２マイクロホンキャップ４２に掛架されたベルト部材であってもよい。ベルト部材を用いることにより、ギアよりも組立が容易である。
【符号の説明】
【００８５】
１      マイクロホン装置
１１    第１マイクロホン
１２    第２マイクロホン
３１    第１後部音響端子
３２    第２後部音響端子
４１    第１マイクロホンキャップ
４２    第２マイクロホンキャップ
５１    第１音響端子制御部材
５２    第２音響端子制御部材
６０    移動部
６１    第１ギア
６２    第２ギア
【図１】
2015220565.tif 000003
【図２】
2015220565.tif 000004
【図３】
2015220565.tif 000005
【図４】
2015220565.tif 000006
【図５】
2015220565.tif 000007
【図９】
2015220565.tif 000008
【図６】
2015220565.tif 000009
【図７】
2015220565.tif 000010
【図８】
2015220565.tif 000011
【図１０】
2015220565.tif 000012